(57)【要約】【課題】装置本体に対してスライド移動可能な収容容器を給紙位置で確実に位置決め係合することができる用紙搬送装置及び画像形成装置を提供する。【解決手段】記録媒体を収容し、前記記録媒体を送り出す給紙位置と装置本体から引き出された引出し位置の間でスライド移動可能な収容容器と、収容容器に設けられ給紙位置で装置本体に設けられた被係合部に係合する第１の係合部と、収容容器のスライド移動方向と交差する方向の位置を位置決めする位置決め凹部と、収容容器に設けられ位置決め凹部に嵌まる第２の係合部と、を備え、収容容器が前給紙位置にスライド移動する際に、第２の係合部が位置決め凹部に嵌まり込んで位置決めされた後に、第１の係合部が被係合部に係合される。【選択図】図７
2018047568.tif 000002
【特許請求の範囲】
【請求項１】
記録媒体を収容し、前記記録媒体を送り出す給紙位置と装置本体から引き出された引出し位置の間でスライド移動可能な収容容器と、
前記収容容器に設けられ前記給紙位置で前記装置本体に設けられた被係合部に係合する第１の係合部と、
前記収容容器のスライド移動方向と交差する方向の位置を位置決めする位置決め凹部と、
前記収容容器に設けられ前記位置決め凹部に嵌まる第２の係合部と、を備え、
前記収容容器が前記給紙位置にスライド移動する際に、前記第２の係合部が前記位置決め凹部に嵌まり込んで位置決めされた後に、前記第１の係合部が前記被係合部に係合される、
ことを特徴とする用紙搬送装置。
【請求項２】
前記位置決め凹部は前記被係合部と一体に形成され、前記位置決め凹部は前記被係合部に対して前記スライド移動方向における手前側に形成されている、
ことを特徴とする請求項１に用紙搬送装置。
【請求項３】
前記被係合部、前記位置決め凹部、前記第１の係合部及び前記第２の係合部は、前記スライド移動方向において同一直線上に形成されている、
ことを特徴とする請求項１又は２に記載の用紙搬送装置。
【請求項４】
前記被係合部と前記第１の係合部とは、前記収容容器を前記給紙位置でロックするとともに前記給紙位置でロックされた状態の前記収容容器をロック解除位置まで押し込むことでロックを解除するプッシュラッチ機構を構成している、
ことを特徴とする請求項１ないし３のいずれか１項に記載の用紙搬送装置。
置。
【請求項５】
請求項１ないし４のいずれか１項に記載に用紙搬送装置と、
前記用紙搬送装置から搬送される記録媒体に画像を形成する画像形成部と、を備えた、
ことを特徴とする画像形成装置。  
【発明の詳細な説明】
【技術分野】
【０００１】
本発明は、用紙搬送装置及び画像形成装置に関する。
【背景技術】
【０００２】
装置本体に対して手前方向に引き出され、又は奥方向に押し込まれて装置本体内に位置決めされる引出体を有する装置において、引出体に回転可能に組み付けられた規制部材と、該規制部材の奥側部に設けられた位置決めロック部材と、装置本体の奥側部分に形成された孔のまわりに設けられたカムとを有し、引出体を奥方向に押し込んで、規制部材に設けられた位置決めロック部材を、装置本体の奥側部分に形成された孔を通過させた後、規制部材を回転させたとき、位置決めロック部材がカムのカム面に案内されて、該位置決めロック部材と規制部材が、引出体と共に奥方向に移動するように、当該カムのカム面が形成されている引出体を有する装置が知られている（特許文献１）。
【先行技術文献】
【特許文献】
【０００３】
【特許文献１】特開２００６−３０８１０号公報
【発明の概要】
【発明が解決しようとする課題】
【０００４】
本発明は、装置本体に対してスライド移動可能な収容容器を給紙位置で確実に位置決め係合することができる用紙搬送装置及び画像形成装置を提供することを目的とする。
【課題を解決するための手段】
【０００５】
前記課題を解決するために、請求項１に記載の用紙搬送装置は、
記録媒体を収容し、前記記録媒体を送り出す給紙位置と装置本体から引き出された引出し位置の間でスライド移動可能な収容容器と、
前記収容容器に設けられ前記給紙位置で前記装置本体に設けられた被係合部に係合する第１の係合部と、
前記収容容器のスライド移動方向と交差する方向の位置を位置決めする位置決め凹部と、
前記収容容器に設けられ前記位置決め凹部に嵌まる第２の係合部と、を備え、
前記収容容器が前記給紙位置にスライド移動する際に、前記第２の係合部が前記位置決め凹部に嵌まり込んで位置決めされた後に、前記第１の係合部が前記被係合部に係合される、
ことを特徴とする。
【０００６】
請求項２に記載の発明は、請求項１に記載の用紙搬送装置において、
前記位置決め凹部は前記被係合部と一体に形成され、前記位置決め凹部は前記被係合部に対して前記スライド移動方向における手前側に形成されている、
ことを特徴とする。
【０００７】
請求項３に記載の発明は、請求項１又は２に記載の用紙搬送装置において、
前記被係合部、前記位置決め凹部、前記第１の係合部及び前記第２の係合部は、前記スライド移動方向において同一直線上に形成されている、
ことを特徴とする。
【０００８】
請求項４に記載の発明は、請求項１ないし３のいずれか１項に記載の用紙搬送装置において、
前記被係合部と前記第１の係合部とは、前記収容容器を前記給紙位置でロックするとともに前記給紙位置でロックされた状態の前記収容容器をロック解除位置まで押し込むことでロックを解除するプッシュラッチ機構を構成している、
ことを特徴とする。
【０００９】
前記課題を解決するために、請求項５に記載の画像形成装置は、
請求項１ないし４のいずれか１項に記載に用紙搬送装置と、
前記用紙搬送装置から搬送される記録媒体に画像を形成する画像形成部と、を備えた、
ことを特徴とする。
【発明の効果】
【００１０】
請求項１、５に記載の発明によれば、装置本体に対してスライド移動可能な収容容器を給紙位置で確実に位置決め係合することができる。
請求項２に記載の発明によれば、被係合部と案内ガイドのスライド移動方向に沿う位置精度を向上させることができる。
請求項３に記載の発明によれば、プッシュラッチ機構のラッチ機能を安定化することができる。
請求項４に記載の発明によれば、収容容器の引き出し操作力を軽減することができる。
【図面の簡単な説明】
【００１１】
【図１】画像形成装置の内部構成を示す断面模式図である。
【図２】用紙トレイを引き出した状態を示す用紙搬送装置の斜視図である。
【図３】（ａ）は用紙トレイが給紙位置でロックされた状態を示す平面模式図、（ｂ）は用紙トレイのロックが解除された状態を示す平面模式図である。
【図４】（ａ）は停止部材を示す斜視図、（ｂ）は規制ストッパー部を示す上面図、（ｃ）はラッチカム部を示す底面図、（ｄ）はラッチピンを示す斜視図である。
【図５】（ａ）は規制ストッパーと位置決め凸部を示す斜視図、（ｂ）はラッチカムとラッチピンを示す一部断面斜視図である。
【図６】規制ストッパー部に位置決め凸部が嵌まり込んだ状態を示す部分斜視図である。
【図７】用紙搬送装置における用紙トレイの給紙位置へのスライド移動動作の流れを示す部分平面模式図である。
【図８】用紙搬送装置における用紙トレイの給紙位置でのロック解除の流れを示す部分平面模式図である。
【発明を実施するための形態】
【００１２】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１３】
（１）画像形成装置の全体構成及び動作
図１は画像形成装置１の内部構成を示す縦断面図である。
以下、図面を参照しながら、画像形成装置１の全体構成及び動作を説明する。
【００１４】
画像形成装置１は、制御装置１０、給紙装置２０、感光体ユニット３０、現像装置４０、転写装置５０、定着装置６０、用紙搬送装置７０を備えて構成されている。画像形成装置１の上面（Ｚ方向）には、画像が記録された用紙Ｐが排出・収容される排紙トレイ部ＴＲ１、ＴＲ２が形成されている。
【００１５】
制御装置１０は、画像形成装置１の動作を制御するコントローラ１１と、コントローラ１１により作動を制御される画像処理部１２、電源装置１３等を有する。電源装置１３は、感光体ユニット３０、現像装置４０、転写装置５０等に電圧を印加する。
画像処理部１２は、外部の情報送信装置（例えばパーソナルコンピュータ等）から入力された印刷情報を潜像形成用の画像情報に変換して予め設定されたタイミングで、駆動信号を露光装置ＬＨに出力する。
【００１６】
画像形成装置１本体の底部には、用紙トレイ２１を有する給紙装置２０が設けられ、用紙トレイ２１に積載された用紙Ｐは、規制板（不図示）で幅方向位置が決められ、上側から１枚ずつ用紙引き出し部２３により前方（−Ｘ方向）に引き出される。
用紙引き出し部２３から引き出された用紙Ｐは、用紙搬送路Ｓ１を介してレジストローラ対２４のニップ部まで搬送される。
【００１７】
給紙装置２０の下方には用紙搬送装置７０が接続されている。用紙搬送装置７０は、上下方向に多段（本実施形態においては３段）に配置されて、用紙Ｐを収容する収容容器の一例としての用紙トレイＴ１、Ｔ２、Ｔ３からなるトレイモジュールＴＭを構成している。用紙トレイＴ１、Ｔ２、Ｔ３から送り出された用紙Ｐは、用紙搬送路Ｓ２を介して用紙搬送路Ｓ１からレジストローラ対２４のニップ部に向かって搬送される。
【００１８】
感光体ユニット３０は、給紙装置２０の上方（Ｚ方向）に、それぞれが並列して設けられ、回転駆動する感光体ドラム３１を備えている。それぞれの感光体ドラム３１上にはそれぞれの現像装置４０によってイエロー（Ｙ）、マゼンタ（Ｍ）、シアン（Ｃ）、黒（Ｋ）のトナー像が形成される。
【００１９】
各感光体ユニット３０の感光体ドラム３１に形成された各色トナー像は、転写装置５０の中間転写ベルト５１上に順次静電転写（一次転写）され、各色トナーが重畳された重畳トナー像が形成される。中間転写ベルト５１上の重畳トナー像は、レジストローラ対２４から送り出され、搬送ガイドにより案内された用紙Ｐに二次転写ローラ５２によって一括転写される。
【００２０】
定着装置６０は一対の加熱モジュール６１と加圧モジュール６２の圧接領域によって定着ニップ部（定着領域）が形成される。
転写装置５０においてトナー像が一括転写された用紙Ｐは、トナー像が未定着の状態で搬送ガイド５３を介して定着装置６０の定着ニップ部に搬送され、一対の加熱モジュール６１と加圧モジュール６２により、加熱と圧着の作用でトナー像が定着される。
【００２１】
定着トナー像が形成された用紙Ｐは、切替ゲートＧ１にガイドされ、第１排出ローラ対６３から画像形成装置１上面の排紙トレイ部ＴＲ１に排出・収容される。また、両面印刷のために反転したり、画像記録面を上側にして排出する場合は、切替ゲートＧ１で搬送路６５に向って搬送方向が切り替えられる。
【００２２】
（２）用紙搬送部の構成
図２は用紙トレイＴ１を引き出した状態を示す用紙搬送装置７０の斜視図、図３（ａ）は用紙トレイＴ１が給紙位置でロックされた状態を示す平面模式図、（ｂ）は用紙トレイＴ１のロックが解除された状態を示す平面模式図、図４（ａ）は停止部材１００の斜視図、（ｂ）は規制ストッパー部１３０を示す上面図、（ｃ）はラッチカム部１２０を示す底面図、（ｄ）はラッチピン８０を示す斜視図、図５（ａ）は規制ストッパー部１３０と位置決め凸部９０を示す斜視図、（ｂ）はラッチカム部１２０とラッチピン８０を示す一部断面斜視図、図６は規制ストッパー部１３０に位置決め凸部９０が嵌まり込んだ状態を示す部分斜視図である。
以下、図面を参照しながら、用紙搬送部の構成について説明する。
【００２３】
（２．１）全体構成
用紙搬送部は、給紙装置２０と、給紙装置２０の下方に接続された用紙搬送装置７０から構成されている。用紙搬送装置７０は、図２に示すように、装置本体Ｆに対してスライド移動可能に上下方向に３段重ねて配置された用紙トレイＴ１、Ｔ２、Ｔ３からなるトレイモジュールＴＭを構成し、画像形成装置１の給紙装置２０の下方に接続されている。
【００２４】
図３（ａ）に示すように、装置本体Ｆに収納された用紙トレイＴ１は給紙位置でロックされ、図３（ｂ）に示すように、ロックされた用紙トレイＴ１をロック解除位置まで押し込むことでロックが解除され付勢部材としてのスプリングＳの作用で装置本体Ｆから押し出される（図３（ｂ）  矢印Ｒ参照）。
【００２５】
装置本体側には、被係合部としてのラッチカム部１２０と位置決め凹部の一例としての規制ストッパー部１３０が一体として形成された停止部材１００が設けられ、用紙トレイＴ１の引き出し操作側には、第１の係合部の一例としてのラッチピン８０と、第２の係合部の一例としての位置決め凸部９０が設けられている。
装置本体Ｆの用紙トレイＴ１のスライド移動方向における奥側にはスプリングＳが設けられ、用紙トレイＴ１は、給紙位置でロックされた状態ではスプリングＳで常に押し出し方向に付勢され、ロックが解除されると引き出し操作側に押し出されるようになっている。
【００２６】
（２．２）プッシュラッチ機構
用紙搬送装置７０は、用紙トレイＴ１を給紙位置でロックするとともに給紙位置でロックされた状態の用紙トレイＴ１をロック解除位置まで押し込むことでロックを解除するプッシュラッチ機構を有している。
プッシュラッチ機構は、停止部材１００と、ラッチピン８０と、位置決め凸部９０と、スプリングＳとで構成されている。
【００２７】
停止部材１００は、図４に示すように、全体が矩形の枠構造を有する本体部１１０の一端側に規制ストッパー部１３０が一体として形成されている。規制ストッパー部１３０には先端側に開口したＵ字状溝１３１が形成されている。
規制ストッパー部１３０は、停止部材１００が装置本体Ｆに取り付けられた状態で、用紙トレイＴ１のスライド移動方向における手前側に位置し、給紙位置へスライド移動する用紙トレイＴ１に設けられた位置決め凸部９０を受け入れてスライド移動方向と交差する方向を位置決めする。
【００２８】
本体部１１０の底面側には、図４（ｃ）に示すように、ラッチカム部１２０が形成されている。ラッチカム部１２０は、用紙トレイＴ１のスライド移動方向において規制ストッパー部１３０の奥側に形成され、導入部１２１、第１案内部１２２、第１案内溝１２３、保持部１２４、第２案内部１２５、第２案内溝１２６、第３案内溝１２７、第３案内部１２８から構成されている。
【００２９】
このようなカム構造を有するラッチカム部１２０は、用紙トレイＴ１のスライド移動に伴って侵入する後述するラッチピン８０を受け入れてロック位置となる保持部１２４へ案内して保持するとともに、ロック位置から押し込まれるラッチピン８０を第２案内溝１２６内に案内し、ロック解除するようになっている。  
【００３０】
ラッチピン８０は、金属製の板部材８１と、板部材８１の一端側に突出するように設けられたピン８２と、ピン８２の他端側に設けられた孔８３から構成されている。
ラッチピン８０は、図５（ａ）、（ｂ）に示すように、用紙トレイＴ１の側部でスライド移動方向における手前側に孔８３を回転中心として回転可能に取り付けられている。
【００３１】
ラッチピン８０は、用紙トレイＴ１のスライド移動に伴って、ピン８２がラッチカム部１２０の導入部１２１から進入し、孔８３を回転中心として回転しながらラッチカム部１２０の第１案内部１２２、第１案内溝１２３に案内されて保持部１２４で保持されることで用紙トレイＴ１を給紙位置でロックする。
【００３２】
位置決め凸部９０は、図５（ａ）、（ｂ）に示すように、用紙トレイＴ１の側部でスライド移動方向におけるラッチピン８０の手前側にスライド移動方向と交差する方向に突出して一体に形成されている。位置決め凸部９０は、図６に示すように、用紙トレイＴ１が装置本体Ｆに対して給紙位置に向かってスライド移動する際（図６中  矢印参照）に、規制ストッパー部１３０のＵ字状溝１３１に嵌まり込んで用紙トレイＴ１のスライド移動方向と交差する方向の移動を規制して位置決めする。
【００３３】
スプリングＳは、装置本体Ｆの用紙トレイＴ１のスライド移動方向における奥側に設けられている。スプリングＳは、用紙トレイＴ１が給紙位置へスライド移動する際に、用紙トレイＴ１の一端と接触して圧縮されることで、用紙トレイＴ１が給紙位置でロックされた状態でラッチピン８０のピン８２をラッチカム部１２０の保持部１２４に押し付けてロック状態を維持している。
スプリングＳは、用紙トレイＴ１のロック状態が解除された際には、用紙トレイＴ１を装置本体Ｆの手前側に向かって押し出すように作用する。
【００３４】
プッシュラッチ機構を構成する停止部材１００のラッチカム部１２０、規制ストッパー部１３０、ラッチピン８０、位置決め凸部９０は、図３、図５に示すように、同一直線上に形成され、用紙トレイＴ１の給送位置でのロック及びロック解除をよりスムーズにしている。  
【００３５】
（３）用紙トレイのスライド移動動作
図７は、用紙搬送装置７０における用紙トレイＴ１の給紙位置へのスライド移動動作の流れを示す部分平面模式図、図８は、用紙搬送装置７０における用紙トレイＴ１の給紙位置でのロック解除の流れを示す部分平面模式図である。以下、図面を参照しながら、用紙トレイＴ１の給紙位置でのロック及びロック解除について説明する。
【００３６】
図７においては、停止部材１００の規制ストッパー部１３０は実線で、ラッチカム部１２０は破線で示している。
図７（ａ）に示すように、用紙トレイＴ１を給紙位置に向かって装置本体Ｆに対してスライド移動させていくと、用紙トレイＴ１の側部でスライド移動方向における手前側に取り付けられているラッチピン８０のピン８２がラッチカム部１２０の導入部１２１から進入する（図７（ａ）中  矢印参照）。
【００３７】
そして、用紙トレイＴ１をさらに給紙位置に向かってスライド移動させていくと、ラッチピン８０のピン８２はラッチカム部１２０の第１案内部１２２で案内されながら、第１案内溝１２３に向かうように回転する（図７（ｂ）中  矢印参照）。
この時点で、図７（ｂ）に示すように、用紙トレイＴ１の側部でスライド移動方向におけるラッチピン８０の手前側に形成された位置決め凸部９０が停止部材１００の規制ストッパー部１３０を構成するＵ字状溝１３１に嵌まり込む。
【００３８】
これにより、用紙トレイＴ１のスライド移動方向と交差する方向（以下、左右方向と記す）の移動が規制されるために、ラッチピン８０のピン８２は左右方向に振れることなく第１案内部１２２で案内されながら、第１案内溝１２３に安定して進入する。
【００３９】
そして、用紙トレイＴ１は、図７（ｃ）に示すように、位置決め凸部９０が規制ストッパー部１３０のＵ字状溝１３１で位置決めされながらスライド移動し、ラッチピン８０のピン８２は、ラッチカム部１２０の第１案内溝１２３から保持部１２４に向かって案内される（図７（ｃ）中  矢印参照）。
さらに、用紙トレイＴ１をスライド移動させると、図７（ｄ）に示すように、ラッチピン８０のピン８２はスプリングＳの付勢力でスライド移動方向と反対側に押圧されながら（図７（ｄ）中  矢印参照）ラッチカム部１２０の保持部１２４で保持されて用紙トレイＴ１は給紙位置でロックされる。
【００４０】
本実施形態に係る用紙搬送装置７０においては、用紙トレイＴ１が給紙位置にスライド移動する際に、用紙トレイＴ１に設けられた位置決め凸部９０が装置本体Ｆ側に設けられた停止部材１００の規制ストッパー部１３０に嵌まり込んで左右方向の移動が規制されて位置決めされた後に、ラッチピン８０のピン８２がラッチカム部１２０に係合してロックされる。
そのために、スライド移動する用紙トレイＴ１が左右方向に振れることがなく、ラッチピン８０とラッチカム部１２０の係合が安定して行われる。
【００４１】
給紙位置でロックされている用紙トレイＴ１のロックを解除して装置本体Ｆから引き出す際には、まず、ロック状態から用紙トレイＴ１をさらにスライド移動方向における奥側に向かって押し込むと、ラッチピン８０のピン８２は、ラッチカム部１２０の保持部１２４から離座して第２案内部１２５に接触する（図８（ａ）  参照）。
そして、ラッチピン８０のピン８２は、第２案内部１２５に案内されて第２案内溝１２６に向かうように回転し、ロックが解除される（図８（ｂ）  参照）。
【００４２】
ロックが解除された用紙トレイＴ１は、スプリングＳの付勢力でスライド移動方向と反対側に押圧されて、ラッチピン８０のピン８２は第３案内溝１２７で案内されながら装置本体Ｆからスライド移動方向に沿って押し出される（図８（ｃ）  参照）。
このようなロック解除動作において、用紙トレイＴ１は位置決め凸部９０が規制ストッパー部１３０のＵ字状溝１３１で左右方向の移動が規制された状態で押し出されることにより、ラッチピン８０のピン８２は左右方向に振れることなくラッチカム部１２０内を移動し用紙トレイＴ１の押し出しがスムーズに行われる。
【００４３】
本実施形態においては、プッシュラッチ機構が適用された用紙搬送装置７０における用紙トレイＴ１について説明したが、本実施形態に係るプッシュラッチ機構は用紙トレイＴ２、Ｔ３及び画像形成装置１の給紙装置２０の用紙トレイ２１にも同様に適用することができる。
【符号の説明】
【００４４】
１・・・画像形成装置
１０・・・制御装置
２０・・・給紙装置
２１・・・用紙トレイ
２３・・・用紙引き出し部
２４・・・レジストローラ
３０・・・感光体ユニット
４０・・・現像装置
５０・・・転写装置
６０・・・定着装置
７０・・・用紙搬送装置
８０・・・ラッチピン
９０・・・位置決め凸部
１００・・・停止部材
１１０・・・本体部
１２０・・・ラッチカム部
１３０・・・規制ストッパー部
Ｔ１、Ｔ２、Ｔ３・・・用紙トレイ（用紙搬送装置７０）
Ｓ・・・スプリング
【図１】
2018047568.tif 000003
【図２】
2018047568.tif 000004
【図３】
2018047568.tif 000005
【図４】
2018047568.tif 000006
【図５】
2018047568.tif 000007
【図６】
2018047568.tif 000008
【図７】
2018047568.tif 000009
【図８】
2018047568.tif 000010